(57)【要約】【課題】フォークリフトで持ち上げられたときにデッキボードが撓んだり折れ曲がることがなく、荷重がかかった際にデッキボードのコーナー部が剥がれたり桁部材が潰れるようなことのない四方差しタイプの紙製パレットを提供する。【解決手段】上下のデッキボード２，２’の外周四辺が折り重ね縁部５，５’で補強されて剛性を増し、空間部４にフォークリフトの爪Ｃが差し込まれ持ち上げられた時、その爪Ｃを支点としてデッキボード２，２’が曲げ変形するのを防止する。上下のデッキボード２，２’の四角コーナー部２ａにおいて、隣り合わせる折り重ね縁部５，５’同士の端部５ａ，５ａが該コーナー部２ａを略半分づつ覆うので、各折り重ね縁部５，５’は各コーナー部２ａの桁部材３間にわたって支持され、各コーナー部２ａにかかる荷重を各折り重ね縁部５，５’に略均等に分散させ、コーナー部２ａの剥がれや桁部材３の潰れを防止する。【選択図】  図８
2004256135.tif 000002
【特許請求の範囲】
【請求項１】
段ボール板（１）からなる上下のデッキボード（２，２’）の間に、段ボール板からなる略箱型の桁部材（３）を適宜数介設してなり、前記桁部材（３）を少なくとも前記デッキボードの四角のコーナー部（２ａ）に配設して、隣り合わせる桁部材の間にフォークリフトの爪差し込み用の空間部（４）を形成してなる紙製パレット（Ａ）であって、
前記上下のデッキボード（２，２’）の外周に、前記段ボール板（１）の外周四辺を各々所定の幅に折り重ねると共にデッキボード（２，２’）に接着してなる折り重ね縁部（５，５’）を形成し、
且つ、それぞれの折り重ね縁部（５，５’）の長さ方向両端部（５ａ，５ａ）の外縁（５ｂ）を斜めにカットし、それぞれのデッキボード（２，２’）の四角のコーナー部（２ａ）において、隣り合わせる折り重ね縁部（５，５’）同士の端部（５ａ，５ａ）が該コーナー部（２ａ）を略半分づつ覆うよう形成した紙製パレット。
【請求項２】
前記桁部材（３）が、矩形状の段ボール板（３１）を多数重ね合わせて接着し、その外表面を厚紙（３２）で被覆した略箱型に形成され、該桁部材（３）を、前記矩形状の段ボール板（３１）のそれぞれが略直立する向きになるよう、前記上下のデッキボード（２，２’）に対し接着してなる請求項１記載の紙製パレット。
【発明の詳細な説明】
【０００１】
【発明の属する技術分野】
本発明は、フォークリフト等で荷物を運搬する際に使用する紙製のパレットに関する。
【０００２】
【従来の技術】
パレットは、桁部材の間にフォークリフトの爪を差し込んで、デッキボード上の載承物（被運搬物）と共に搬送されるものである。
パレットの材質には旧来、木材やプラスチック等があり、木材及びプラスチック製パレットは、重量が嵩む上、材料費が高いため、それ自体高価であるだけでなく輸送コストを押し上げる要因となる。そこで近年、軽量で安価な段ボールを材料にした紙製パレットが使用されるようになった。
【０００３】
この種紙製パレットとして、例えば特許文献１に開示されるように、矩形状の段ボール板で形成した上下のデッキボードの間に、段ボール板からなる略箱型の桁部材を、少なくともデッキボードの四つのコーナー部に位置するよう介設して、隣り合わせる桁部材の間にフォークリフトの爪差し込み用の空間部を形成し、フォークリフトの爪を、デッキボードの四方から差し込めるよう構成された、所謂四方差しタイプのものが知られている。
【０００４】
【特許文献１】
特開２００２−３７０７３９号公報（図１）
【０００５】
【発明が解決しようとする課題】
しかし、この紙製パレットは、被運搬物を載せてフォークリフトの爪を空間部に差し込み持ち上げると、フォークリフトの爪が支点となって、上側のデッキボードの外周縁が撓んでしまったり、折れ曲がってしまう等の強度上の問題を有している。
【０００６】
このような問題点を解決するために、例えば、矩形状の段ボール板の外周四辺を各々所定の幅に折り重ねると共にデッキボード１０１，１０２に接着し、デッキボードの外周を折り重ね部１０３，１０４として補強することが考えられる（図１０参照）。
【０００７】
このようにして外周を折り曲げる場合、デッキボード１０１，１０２の四角のコーナー部１０５において、隣り合う折り重ね部１０３，１０４同士が重ならないよう、一方の折り重ね部（長辺側の折り重ね部）１０３はその端部１０３ａが前記コーナー部１０５の略全域を覆う長さに形成され、他方の折り重ね部（短辺側の折り重ね縁）１０４はその端部１０４ａが前記コーナー部１０５の手前に位置する長さに形成されるようになる。
【０００８】
よって、短辺側の折り重ね部１０４の端部１０４ａは桁部材１１０で支持されない構造になるので、デッキボード１０１に荷重がかかった際（デッキボード上に被運搬物を載せた際）、長辺側の折り重ね部１０３と短辺側の折り重ね部１０４との境界部分１２０で折れや剥がれが発生したり、長辺側の折り重ね部１０３の端部１０３ａに大きな負荷がかかって該端部１０３ａが損傷したり桁部材１１０が潰れたりする虞れがあった。
【０００９】
本発明はこのような従来事情に鑑みてなされたものであり、その目的とする処は、段ボール板からなる上下のデッキボードの間に、段ボール板からなる略箱型の桁部材を、少なくとも上下のデッキボードの四角コーナー部に介設し、隣り合わせる桁部材の間にフォークリフトの爪差し込み用の空間部を形成してなる紙製パレットにおいて、それぞれのデッキボードの外周縁を補強して、フォークリフトの爪を差し込んで持ち上げた際の撓みや折れ曲がりを防止すると共に、デッキボードの四角コーナー部にかかる荷重を効率良く分散して、デッキボードコーナー部の剥がれや桁部材の潰れなどを効果的に防止することができる、新規な紙製パレットを提供することにある。
【００１０】
【課題を解決するための手段】
上記目的を達成するために、本発明の紙製パレットは、段ボール板（１）からなる上下のデッキボード（２，２’）の間に、段ボール板からなる略箱型の桁部材（３）を適宜数介設してなり、前記桁部材（３）を少なくとも前記デッキボードの四角のコーナー部（２ａ）に配設して、隣り合わせる桁部材の間にフォークリフトの爪差し込み用の空間部（４）を形成してなる紙製パレット（Ａ）であって、
前記上下のデッキボード（２，２’）の外周に、前記段ボール板（１）の外周四辺を各々所定の幅に折り重ねると共にデッキボード（２，２’）に接着してなる折り重ね縁部（５，５’）を形成し、
且つ、それぞれの折り重ね縁部（５，５’）の長さ方向両端部（５ａ，５ａ）の外縁（５ｂ）を斜めにカットし、それぞれのデッキボード（２，２’）の四角のコーナー部（２ａ）において、隣り合わせる折り重ね縁部（５，５’）同士の端部（５ａ，５ａ）が該コーナー部（２ａ）を略半分づつ覆うよう形成したことを特徴とする。
【００１１】
このような構成によれば、フォークリフトの爪をデッキボードの四方から差し込める、所謂四方差しタイプの紙製パレットとして提供される。そうして、上下のデッキボード（２，２’）において、外周四辺が折り重ね縁部（５，５’）により補強されその剛性を増すので、桁部材（３，３）の間の空間部（４）にフォークリフトの爪が差し込まれ持ち上げられたとき、フォークリフトの爪を支点としてデッキボード（２，２’）が曲げ変形するのを防止する。
また、それぞれのデッキボード（２，２’）の四角のコーナー部（２ａ）において、隣り合わせる折り重ね縁部（５，５’）同士の端部（５ａ，５ａ）が該コーナー部（２ａ）を略半分づつ覆うよう形成したので、それぞれの折り重ね縁部（５，５’）は各コーナー部（２ａ）に配設される桁部材（３）間にわたって支持されると共に、各コーナー部（２ａ）にかかる荷重を、それぞれの折り重ね縁部（５，５’）に略均等に分散させて、コーナー部（２ａ）の剥がれや桁部材（３）の潰れなどを防止することができる。
【００１２】
また、本発明の紙製パレットは、前記桁部材（３）が、矩形状の段ボール板（３１）を多数重ね合わせて接着し、その外表面を厚紙（３２）で被覆した略箱型に形成され、該桁部材（３）を、前記矩形状の段ボール板（３１）のそれぞれが略直立する向きになるよう、前記上下のデッキボード（２，２’）に対し接着したことを特徴とする。
【００１３】
この場合、上記作用に加えて、桁部材（３）を構成する矩形状の段ボール板（３１）のそれぞれが略直立状に立ち上がる構造になるので、桁部材（３）の上下方向の圧縮強度を増し、上記作用をより確実なものとし得る。
【００１４】
【発明の実施の形態】
以下、本発明に係る紙製パレットの実施形態の一例を図１〜図９を参照して説明する。
紙製パレットＡは、図４に示す段ボール板１を用いて図７に示すように形成された上下のデッキボード２，２’と、これらデッキボード２，２’の間に適宜数介設された桁部材３からなり、上側のデッキボード２の上面に被運搬物Ｂを載承し、隣り合わせる桁部材３，３の間の空間部４にフォークリフトの爪Ｃが差し込まれ、載承した被運搬物Ｂと共に運搬されるものである。
【００１５】
段ボール板１は、一層段ボール又は二層以上の多層段ボール板を長方形に断栽すると共に、その外周における長辺側と短辺側の四辺部分１ａ，１ａ’は、それぞれ所定の幅に二回折り重ねて（図４〜図７参照）、図２に示すように、段ボール板１が三枚重なるようにした長辺側と短辺側の折り重ね縁部５，５’を形成し、これら折り重ね縁部５，５’のそれぞれを、上側のデッキボード２では下面に、下側のデッキボード２’では上面に、各々接着剤により接着してデッキボード２，２’を構成するものである。尚、折り重ね縁部５，５’を形成する際に前記四辺部分１ａ，１ａ’を折り重ねる回数は、本例のような二回に限定されるものではなく、一回でも構わないが、強度的な観点から二回以上であるのが好ましい。また、接着剤を介して接着する箇所は上記に限るものではなく、折り重ねる毎にその重なった面を接着するようにしても構わないが、上記箇所を接着すれば、各々の折り重ね縁部５，５’に対する接着作業が一回で済むため、組立て工数が低減されると共に、接着剤の使用量が減り、製造コストを削減できるので好ましい。
【００１６】
また、段ボール板１の四辺部分１ａ，１ａ’は図示するように、その長さ方向両端部の外縁１ｂ，１ｂ’を略４５度の角度をもって斜めにカットし、これにより、各デッキボード２，２’の四角のコーナー部２ａにおいて、隣り合わせる折り重ね縁部５，５’同士の端部５ａ，５ａの外縁５ｂ，５ｂ同士が突合せ縁として当接し、それら端部５ａ，５ａ同士が重なることなく、該コーナー部２ａを略半分づつ覆うようになっている（図３参照）。
【００１７】
桁部材３は、図２，図８に示すように、フォークリフトの爪Ｃの厚さ寸法より大寸の高さを有する矩形状の段ボール板３１を接着剤を介して複数枚重ね合わせて接着し、それら段ボール板３１の外表面に接着剤を介して厚紙３２を被覆するように接着して、略箱型に形成してなるものである。
【００１８】
長尺矩形状の段ボール板３１は、上記した段ボール板１と同材質の一層又は多層段ボールからなり、複数枚重ね合せる際に、それぞれの段ボール板３１の中しんの方向を合せて該方向（配設状態における上下方向）の圧縮強度を増すようにしている。厚紙３２は、例えばクラフト紙よりなる紙材を、前記複数枚重ね合わせた段ボール板３１の外表面を被覆可能な形状に裁断されてなり、必要に応じて樹脂コーティングしたり、パラフィンを含浸する等の手段により防水性の向上を図ることも好ましい。
【００１９】
このように形成された桁部材３は、図８に示すように、上下のデッキボード２，２’における四角のコーナー部２ａ，２ａ間と、長辺側の中間部位間に対し、前記長尺矩形状の段ボール板３１が略直立する向きに複数接着されており、隣り合わせる桁部材３の間をフォークリフトの爪Ｃの幅より広くするよう配置することで、桁部材３，３の間にフォークリフトの爪Ｃの差し込み用空間部４を形成している。
【００２０】
また、前記各コーナー部２ａにおいては、隣り合わせる折り重ね縁部５，５’同士の端部５ａ，５ａが該コーナー部２ａを略半分づつ覆っているので、それぞれの折り重ね縁部５，５’は各コーナー部２ａに配設された桁部材３間にわたって支持されると共に、各コーナー部２ａにかかる荷重を、それぞれの折り重ね縁部５，５’に略均等に分散させることができるようになる。
【００２１】
尚、桁部材３の配置数は、少なくともデッキボード２，２’における四角のコーナー部２ａに対し一個づつ計四個必要なのは勿論であるが、載承される被運搬物Ｂの重量分布やデッキボード２，２’の外形寸法の関係等に応じ、デッキボード２，２’が撓んだり折れ曲がったりしないよう、外周四辺の中間部にも１個ないし数個設けたり、デッキボード２，２’の中央域の所定複数箇所に設けるなど、各種の対応が可能である。
【００２２】
以上の構成になる本例の紙製パレットＡは、フォークリフトの爪Ｃを差し込む空間部４が四方に形成された所謂四方差しタイプのパレットとして提供される。また、上下のデッキボード２，２’が、折り重ね縁部５，５’によりその外周縁の剛性を増し、空間部４にフォークリフトの爪Ｃが差し込まれて持ち上げられたとき（図９参照）、フォークリフトの爪Ｃを支点としてデッキボード２，２’が曲げ変形するのを防止する。
【００２３】
さらに、上下のデッキボード２，２’各コーナー部２ａにおいて、隣り合わせる長辺側と短辺側の折り重ね縁部５，５’同士の端部５ａ，５ａが該コーナー部２ａを略半分づつ覆っており、それぞれの折り重ね縁部５，５’は各コーナー部２ａの桁部材３間にわたって支持されると共に、各コーナー部２ａにかかる荷重をそれぞれの折り重ね縁部５，５’に略均等に分散させることができるので、２，２’に荷重がかかった際のコーナー部２ａの剥がれや桁部材３の潰れなどを防止することができる。
また、各桁部材３を構成する段ボール板３１のそれぞれが直立することで、桁部材３の上下方向の圧縮強度が増すので、前記作用をより向上することができる。加えて、紙製パレットＡが水溜り等に置かれた場合に、厚紙３２が桁部材３内への水の染み込みを阻止して、桁部材３の強度低下を防止するなどの作用を奏する。
【００２４】
以上、本発明に係る紙製パレットの実施形態の一例を図面を参照して説明したが、本発明は図示例に限定されず、特許請求の範囲の各請求項に記載された技術的思想の範疇において種々の変更が可能であることは言うまでもない。
【００２５】
【発明の効果】
本発明の紙製パレットは以上説明したように構成したので、デッキボードの四方からフォークリフトの爪を差し込むことができる四方差しタイプでありながら、被運搬物を載せてフォークリフトで持ち上げられたときに、折り重ね縁部がデッキボードの撓みや折れ曲がりを防止すると共に、デッキボードの四角のコーナー部にかかる荷重を隣り合わせる折り重ね縁部と桁部材に効率良く分散して、デッキボードの四角部分や桁部材の剥がれ、損傷などを防止することができる。
よって、ボクサー針やプラスチック製補強部材等の別部品を用いることなく、紙製のデッキボードと桁部材のみにより、強度的に優れ、軽量且つ安価な上、組み立ても容易な四方差しタイプの紙製パレットを提供することができる。また、ボクサー針やプラスチック製補強部材等の材料を使用しなくてもよいので、廃棄の際、段ボールと他の材質の部材とを分離する手間がかからず、無公害でしかもリサイクル性がよいなど、多くの効果を奏する。
【００２６】
また、桁部材を請求項２記載の構成とした場合は、各桁部材の圧縮強度、耐候性、耐久性が向上することで、前記の効果がさらに実効あるものとなり、より商品価値の高い紙製パレットを提供することができる。
【図面の簡単な説明】
【図１】本発明に係る紙製パレットの実施形態の一例を示す斜視図。
【図２】図１の（Ｘ）−（Ｘ）線に沿う拡大断面図。
【図３】図２の（Ｙ）−（Ｙ）線に沿う断面図で、桁部材を省略して表す。
【図４】デッキボードを形成する段ボール板の展開斜視図。
【図５】折り重ね縁部の折り曲げ手順を示す図４の要部拡大斜視図。
【図６】折り重ね縁部の折り曲げ手順を示す図４の要部拡大斜視図。
【図７】デッキボードの斜視図。
【図８】上下のデッキボードと桁部材の接着手順を表す分解斜視図。
【図９】本発明に係る紙製パレットの使用状態を示す正面図。
【図１０】従来の紙製パレットの斜視図。
【符号の説明】
Ａ：紙製パレット
１：段ボール板
２，２’：デッキボード
２ａ：コーナー部
３：桁部材
３１：段ボール板
３２：厚紙
４：空間部
５，５’：折り重ね縁部
５ａ：折り重ね縁部の端部
５ｂ：折り重ね縁部の外縁
Ｂ：被運搬物
Ｃ：フォークリフトの爪
【図１】
2004256135.tif 000003
【図２】
2004256135.tif 000004
【図３】
2004256135.tif 000005
【図４】
2004256135.tif 000006
【図５】
2004256135.tif 000007
【図６】
2004256135.tif 000008
【図７】
2004256135.tif 000009
【図８】
2004256135.tif 000010
【図９】
2004256135.tif 000011
【図１０】
2004256135.tif 000012